(57)【特許請求の範囲】
【請求項１】
装置本体内を開放可能な開閉部材と、レーザ光を感光体へ照射する光照射手段と、前記光照射手段から照射されるレーザ光の光路を遮蔽する遮蔽部材と、トナー像が担持された記録材を加熱してトナー像を記録材に定着させる定着部と、前記定着部を覆うシャッタ部材と、を有し、前記開閉部材を開くと、前記遮蔽部材が前記光路を遮蔽しない位置から遮蔽する位置へ移動し、且つ、前記シャッタ部材が前記定着部を開放した位置から覆う位置へ移動する画像形成装置において、
前記開閉部材の開閉に連動して前記遮蔽部材を移動させるリンク部材を有し、前記リンク部材の移動によって前記シャッタ部材が移動することを特徴とする画像形成装置。
【請求項２】
前記開閉部材を開いた状態で、前記遮蔽部材を移動させることなく前記シャッタ部材が移動可能であることを特徴とする請求項１に記載の画像形成装置。
【請求項３】
前記リンク部材は、第１リンク部材と前記第１リンク部材と連結された第２リンク部材を備え、前記第１リンク部材は前記遮蔽部材と当接して前記遮蔽部材を移動させる第１当接部を備え、前記第２リンク部材は、前記シャッタ部材と当接する第２当接部を備えることを特徴とする請求項１又は２に記載の画像形成装置。
【請求項４】
前記第２リンク部材の第２当接部で前記シャッタ部材を押圧することで、前記シャッタ部材が前記定着部を覆う位置から前記定着部を開放する位置へ移動し、前記開閉部材を開いた状態で、前記シャッタ部材を、前記定着部を覆う位置から前記定着部を開放した位置へ向かって移動させると、前記シャッタ部材は前記第２当接部から離れることを特徴とする請求項３に記載の画像形成装置。
【請求項５】
前記第２リンク部材が突き当たる突当部と、前記第２リンク部材を突当部に向かって付勢する付勢手段と、を有し、前記第２リンク部材は、前記開閉部材を開いた状態で前記付勢手段の付勢力によって前記突当部に突き当たることを特徴とする請求項４に記載の画像形成装置。
【請求項６】
前記開閉部材が前記付勢手段の付勢力に抗して前記第２リンク部材を移動させることで、前記第２当接部が前記シャッタ部材を押圧して、前記シャッタ部材が前記定着部を覆う位置へ移動することを特徴とする請求項５に記載の画像形成装置。
【請求項７】
前記リンク部材は前記シャッタ部材に当接する当接部を備え、前記当接部で前記シャッタ部材を押圧することで、前記シャッタ部材が前記定着部を覆う位置から前記定着部を開放する位置へ移動し、前記開閉部材を開いた状態で、前記シャッタ部材を、前記定着部を覆う位置から前記定着部を開放した位置へ向かって移動させると、前記シャッタ部材は前記当接部から離れることを特徴とする請求項１又は２に記載の画像形成装置。
【請求項８】
前記リンク部材が突き当たる突当部と、前記リンク部材を突当部に向かって付勢する付勢手段と、を有し、前記リンク部材は、前記開閉部材を開いた状態で前記付勢手段の付勢力によって前記突当部に突き当たることを特徴とする請求項７に記載の画像形成装置。
【請求項９】
前記開閉部材が前記付勢手段の付勢力に抗して前記リンク部材を移動させることで、前記当接部が前記シャッタ部材を押圧して、前記シャッタ部材が前記定着部を覆う位置へ移動することを特徴とする請求項８に記載の画像形成装置。
【請求項１０】
前記遮蔽部材は前記リンク部材に一体的に形成されていることを特徴とする請求項７乃至９のいずれか一項に記載の画像形成装置。
【発明の詳細な説明】
【技術分野】
【０００１】
本発明は、装置本体に対して開いて装置本体内を開放する開閉部材を有する画像形成装置に関するものである。
【背景技術】
【０００２】
従来、電子写真方式を採用する複写機、プリンタ等の画像形成装置には、カートリッジ交換等のメンテナンスやジャム処理を行えるよう、装置本体に対して開閉自在で、装置本体内を開放する開閉カバーが設けられている。
【０００３】
このような画像形成装置は、開閉カバーを開けることによって装置の内部が露出し、また装置内部にユーザが手を入れることができる。このため開閉カバーを開けることにより、ユーザが誤って装置を破損したり、怪我したりしないよう、種々の対策が取られている。
【０００４】
特許文献１には、ユーザが誤って高温となっている場合がある定着部に触れないよう、開閉カバーを開くことに連動して定着ローラ等の定着部材を覆う定着シャッタを設けることが開示されている。
【０００５】
また、特許文献２には、開閉カバーを開いている時にレーザスキャナが万一誤作動してレーザ光が出射されてもレーザ光が装置外に漏れないよう、物理的にレーザ光を遮蔽するレーザシャッタをレーザ光の光路上に配置することが開示されている。レーザシャッタは開閉カバーを開くことに連動してレーザ光の光路上に移動する。
【先行技術文献】
【特許文献】
【０００６】
【特許文献１】特開２００３−１４０４８０
【特許文献２】特開平５−１９６０３
【発明の概要】
【発明が解決しようとする課題】
【０００７】
定着シャッタ及びレーザシャッタを装置に設ける場合、定着シャッタ、及び、レーザシャッタがそれぞれ開閉カバーに連動する必要がある。このため、定着シャッタとレーザシャッタがそれぞれ別のリンク部材によって開閉カバーに連動する構成だと、リンク部材の数やリンク部材を配置するためのスペースが必要になり、コストの増加や装置の大型化を招く。
【０００８】
そこで本発明は、上記課題に鑑みて、大型化を防ぐ、又は、コストを抑え、開閉カバーと定着シャッタ、及び、開閉カバーとレーザシャッタとが連動するよう構成することを目的とする。
【課題を解決するための手段】
【０００９】
本発明は、装置本体内を開放可能な開閉部材と、レーザ光を感光体へ照射する光照射手段と、前記光照射手段から照射されるレーザ光の光路を遮蔽する遮蔽部材と、トナー像が担持された記録材を加熱してトナー像を記録材に定着させる定着部と、前記定着部を覆うシャッタ部材と、を有し、前記開閉部材を開くと、前記遮蔽部材が前記光路を遮蔽しない位置から遮蔽する位置へ移動し、且つ、前記シャッタ部材が前記定着部を開放した位置から覆う位置へ移動する画像形成装置において、前記開閉部材の開閉に連動して前記遮蔽部材を移動させるリンク部材を有し、前記リンク部材の移動によって前記シャッタ部材が移動することを特徴とする。
【発明の効果】
【００１０】
コストを抑える又は大型化を防ぎつつ、開閉カバーと定着シャッタ、及び、開閉カバーとレーザシャッタとを連動させる。
【図面の簡単な説明】
【００１１】
【図１】（ａ）画像形成装置の概略断面図。（ｂ）画像形成装置の概略断面図。
【図２】画像形成装置の一部分の斜視図。
【図３】画像形成装置の概略断面図。
【図４】（ａ）画像形成装置の概略断面図。（ｂ）画像形成装置の概略断面図。
【図５】（ａ）画像形成装置の概略断面図。（ｂ）画像形成装置の概略断面図。
【発明を実施するための形態】
【００１２】
＜第１実施形態＞
（画像形成装置の全体構成）
まず、本実施形態の画像形成装置１００の全体構成について説明する。
【００１３】
図１（ａ）は画像形成装置１００の概略断面図である。画像形成装置１００は、大きく分けて、トナー像をシートＳに転写する画像形成部１０１と、画像形成部１０１へシートＳを供給するシート給送部１０２と、シートＳにトナー像を定着させる定着器３５を備えている。
【００１４】
画像形成部１０１は、装置本体１００Ａに対して着脱可能なカートリッジ２００、転写ローラ２６、レーザスキャナユニット（光照射手段）４２を備えている。カートリッジ２００は、感光ドラム２７、帯電器２９、現像器３０を備える。
【００１５】
不図示の制御部がプリント信号を発すると、給紙ローラ２３が給紙時のみ反時計回りに回転し、給紙カセット２１に積載されたシートＳは画像形成部１０１に送り出される。
【００１６】
一方、感光ドラム２７は帯電器２９によって表面を帯電させられる。そして、レーザスキャナユニット４２が、内部に備える不図示の光源からレーザ光Ｌを出射し、レーザ光Ｌを感光体ドラム上に照射する。これにより感光体ドラム２７の表面上に潜像が形成される。この潜像を現像器３０によって現像することにより、感光ドラム２７上にトナー像が形成される。感光ドラム２７上に形成されたトナー像は、搬送ローラ２４，２５によって感光体ドラム２７と転写ローラ２６との間に形成された転写ニップ部に送り込まれたシートＳに転写される。
【００１７】
トナー像が転写されたシートＳは、定着器３５に送られ、定着器３５の加熱ローラ３３と加圧ローラ３４とで形成された定着ニップ部で、加熱及び加圧され、シートＳ上のトナー像がシートに定着される。定着器３５を通過したシートＳは排紙ローラ３８、３９によって搬送され、排紙トレイ４１上へ排出される。
【００１８】
（レーザシャッタ、定着シャッタの移動機構）
次に、レーザシャッタ６４と定着シャッタ６５の移動機構について説明する。図１（ｂ）は画像形成部１００の概略断面図である。
【００１９】
上述したように、カートリッジ２００は装置本体１００Ａに対して着脱可能な構成となっている。カートリッジ２００の着脱は、図１（ｂ）に示すように、外装部材の一部である開閉カバー６０を開くことによって行われる。開閉カバー６０は、装置本体１００Ａに取り付けてあり、支軸６０ａを中心に回動することで、装置本体１００Ａに対し開閉可能である。また、開閉カバー６０を開くことで、カートリッジ２００の交換以外に、ジャム処理やその他のメンテナンスを行うことができる。
【００２０】
画像形成装置１００は、開閉カバー６０を開いた状態で、レーザスキャナユニット４２が万一誤作動してレーザ光が出射されたとしても、レーザ光が装置外に漏れないよう、物理的にレーザ光の光路Ｌを遮蔽するレーザシャッタ６４を有している。また、開閉カバー６０を開いた際に、ユーザが誤って高温となっている場合がある定着器３５に触れられないよう、定着器（定着部）３５を覆う定着シャッタ６５を有している。
【００２１】
これらレーザシャッタ６４、定着シャッタ６５は、開閉カバー６０の開閉に連動して開閉するように構成されている。この機構について詳しく説明する。
【００２２】
図２は、画像形成装置１００の一部分の斜視図である。なお、簡単のため、外装部材や装置内部のフレームの一部の記載を省略している。
【００２３】
図２に示すように、装置内部には、フレームとしての不図示の２枚の側板の間に固定されたスキャナステー６３を有し、スキャナステー６３によってレーザスキャナユニット４２を支持している。
【００２４】
第１リンク部材６１と第２リンク部材６２は、スキャナステー６３に対してスライド可能に取り付けてあり、第１リンク部材６１と第２リンク部材６２は連結部６１ｂで連結されており、第２リンク部材６２は第１リンク部材６１の動きに連動する構成である。
【００２５】
開閉カバー６０を閉じた状態で第１リンク部材６１は開閉カバー６０のリブ６０ｂに当接する。第１リンク部材６１とスキャナステー６３の間には、リンクバネ６６が取り付けられ、第１リンク部材６１をＡ１方向へ付勢している。
【００２６】
レーザシャッタ６４は、レーザスキャナユニット４２に回動可能に取り付けてあり、不図示のレーザシャッタバネが取り付けてあり、レーザ光の光路Ｌを遮蔽する遮蔽位置に向かってＣ１（時計回り）方向に付勢されている。開閉カバー６０を閉じた状態でレーザシャッタ６４は第１リンク部材に設けられた押圧部（第１当接部）６１ａに当接する。
【００２７】
定着シャッタ６５は、支軸６５ａを中心に回転可能であり、定着シャッタバネ６８によりＢ１（反時計回り）方向に付勢されている。また、開閉カバー６０を閉じた状態で、定着シャッタ６５の被押圧部６５ｂが第２リンク部材６２の押圧部６２ａ（第２当接部）に当接する。なお、定着シャッタ６５は、スキャナステー６３に取り付けてあるが、スキャナステー６３両側の側板（不図示）や、定着器３５に取り付けても良い。
【００２８】
（開閉カバー６０を閉じた状態）
次に開閉カバー６０を装置本体１００Ａに対して閉じた状態について説明する。図１（ａ）に示すように、開閉カバー６０を開いた状態から閉じると、開閉カバー６０の閉動作によって第１リンク部材６１は開閉カバー６０のリブ６０ｂに押されて、リンクバネ６６（図２参照）の付勢力に抗してＡ２方向に移動する。
【００２９】
また、レーザシャッタ６４は、第１リンク部材６１の押圧部６１ａに押されて不図示のレーザシャッタバネの付勢力に抗してＣ２方向に回動し、レーザ光の光路Ｌを遮蔽しない位置に移動する。つまり、レーザシャッタ６４は開いた状態であると言える。
【００３０】
また、第１リンク部材６１がＡ２方向へ移動するのに連動して、第２リンク部材６２もＤ２方向へ移動する。第２リンク部材６２がＤ２方向へ移動することで、定着シャッタ６５の被押圧部６５ｂが第２リンク部材６２の押圧部６２ａに押圧され、定着シャッタ６５は定着シャッタバネ６８（図２参照）の付勢力に抗してＢ２方向へ回動する。
【００３１】
このとき、転写ニップから定着ニップへシートＳを搬送する搬送路を形成する搬送ガイド６９と定着シャッタ６５とで形成される開口の幅は、定着器３５へシートＳが進入するのに十分な幅Ｐ１まで広がっており、シートＳを定着器３５に搬送することが可能となる。つまり、定着シャッタ６５は開いて、定着部を開放した状態であると言える。
【００３２】
また、開閉カバー６０を完全に閉じると装置本体１００Ａに設けられた不図示の係合部と係合し、閉じた状態でロックされる。
【００３３】
（開閉カバー６０を開けた状態）
次に、開閉カバー６０を装置本体１００Ａに対して開いた状態について説明する。図１（ａ）に示したような開閉カバー６０が閉じた状態から、開閉カバーを開く為には、開閉カバー６０に設けられた不図示のラッチを操作して上述した不図示の係合部との係合を解除する。そして、開閉カバー６０を開いていくと、リブ６０ｂが第１リンク部材６１から退避し、離間する。このため、図１（ｂ）に示すように、第１リンク部材６１はリンクバネ６６（図２参照）の付勢力によりＡ１方向へ移動する。そして、第１リンク部材６１と連結された第２リンク部材６２がスキャナステー６３の突当部６３ａに突き当たり、第１リンク部材６１及び第２リンク部材６２が停止する。なお、第１リンク部材６１を別の突当部に突き当てて、第１リンク部材６１及び第２リンク部材６２を停止させる構成でもよい。
【００３４】
また、第１リンク部材６１のＡ１方向への移動によって押圧部６１ａがレーザシャッタ６４から退避する。このため、レーザシャッタ６４は、不図示のレーザシャッタバネの付勢力によりＣ１方向に回動し、レーザ光の光路Ｌを物理的に遮蔽する遮蔽位置に移動する。つまり、レーザシャッタ６４は開いた状態であると言える。なお、レーザシャッタ６４はスキャナステー６３よりも上方の空間に配置されている為、開閉カバー６０を開いてユーザがアクセスすることが可能となるスキャナステー６３の下方の空間からは、このレーザシャッタ６４に触れることができない。
【００３５】
第１リンク部材６１がＡ１方向へ移動するのに連動して、第２リンク部材６２もＤ１方向へ移動する。第２リンク部材６２がＤ１方向へ移動すると、第２リンク部材６２が被押圧部６５ｂから退避していく。このため、定着シャッタ６５は定着シャッタバネ６８（図２参照）の付勢力により被押圧部６５ｂが第２リンク部材６２の押圧部６２ａに当接しながらＢ１方向へ回転する。そして退避しきった状態の第２リンク部材６２に被押圧部６５ｂが突き当たった状態となり、定着シャッタ６５の位置が決まる。このとき、搬送ガイド６９と定着シャッタ６５とで形成される開口の幅は、開閉カバー６０を開くことによって形成された空間からユーザが装置本体１００Ａ内に手を入れて、この開口に指先を入れようとしても入らない程度の幅Ｐ２まで狭まる。このため、ユーザは定着器３５に触れることができない。つまり、定着シャッタ６５は閉じて、定着器３５を覆った状態であると言える。
【００３６】
また、上述したように、被押圧部６５ｂが退避しきった第２リンク部材６２に突き当たっているため、定着シャッタ６５をＢ１方向に動かすことはできない。このため、ユーザが誤って定着シャッタ６５をＢ１方向に押圧してしまっても定着シャッタ６５が開くことはない。このように、画像形成装置１００は、ユーザが定着シャッタ６５に指で直接触れたとしても定着シャッタ６５を開くことができない構成となっている。
【００３７】
このように、画像形成装置１００は、共通の第１リンク部材によって、レーザシャッタ６４、定着シャッタ６５を開閉させるようなリンク機構を有している。このため、レーザシャッタ６４、定着シャッタ６５をそれぞれ別々のリンク機構を用いて開閉カバー６０の開閉に連動させる構成と比べ、装置の大型化を防ぎつつ、低コストに開閉カバー６０の開閉とレーザシャッタ６４及び定着シャッタ６５のそれぞれの開閉とを連動させることができる。
【００３８】
また、第２リンク部材６２は、開閉カバー６０の移動方向に第１リンク部材を延ばしたように配置されている。このため、第１リンク部材６１及び第２リンク部材６２を含むリンク機構を、スキャナステー６３の幅内に収まるように配置することが可能となり、スキャナステー６３の両側に固定されたフレームとしての不図示の２枚の側板の内側に配置されることになる。このため、この側板の外側（スキャナステー６３の反対側）に固定される駆動ギアや電装基板等の部材を避ける必要がないため、装置本体１００Ａの幅寸法を大きくする必要がない。
【００３９】
（レーザシャッタを確実に遮蔽位置に維持する構成）
上述のように、定着シャッタ６５はユーザが指で直接触れても開くことができない構造になっている。しかしながら、画像形成装置１００は、共通のリンク部材（第１リンク部材６１）を移動させることによって、レーザシャッタ６４及び定着シャッタ６５を開閉させる構成となっている。つまり、画像形成装置１００は、２つのシャッタが第１リンク部材６１と第２リンク部材６２とによって連結されて開閉する構成になっている。
【００４０】
このように、２つのシャッタが共通のリンク部材によって連結され開閉するように構成した場合、一方のシャッタを開くと他方のシャッタも開く構成になってしまう場合がある。そこで、画像形成装置１００は、定着シャッタ６５はユーザが直接触れても開くことができない構成であるものの、ユーザの指よりも細い何らかの部材が定着シャッタ６５に引っ掛かり、定着シャッタ６５を直接掴んでＢ２方向に回動させてしまった場合でも、定着シャッタ６５に連動して開閉するレーザシャッタ６４が開いてしまわないように構成している。
【００４１】
この構成について説明する。図３は画像形成部１００の概略断面図であり、ユーザの指よりも細い何らかの部材によって定着シャッタ６５が直接Ｂ２方向に回動させられて開いた状態を示す図である。
【００４２】
上述したように、開閉カバー６０を開いた状態では、第１リンク部材６１は、リンクバネ６６（図２参照）の付勢力によりＡ１方向へ付勢され、第１リンク部材６１に連結された第２リンク部材も同方向に付勢され、突当部６３ａに突き当たった状態となっている。つまり、第２リンク部材６２は、付勢手段としてのリンクバネ６６及び第１リンク部材によって突当部６３ａに突き当てられている。このため、定着シャッタ６５をＢ２方向に回動させても、被押圧部６５ｂは第２リンク部材６２から離間するので、第２リンク部材６２は移動せず、位置は変化しない。従って、第１リンク部材６１も移動せず、レーザシャッタ６４は閉じたままとなるので、より確実にレーザシャッタ６４が閉じた状態を維持することができる。
【００４３】
なお、本実施形態では、第１リンク部材６１がレーザシャッタ６４に当接し、第２リンク部材６２が定着シャッタ６５に当接する構成であったが、これに限られない。つまり、開閉カバー６０がレーザシャッタ６４よりも定着シャッタ６５に近い位置に配置されている構成などでは、第１リンク部材６１が定着シャッタ６５に当接し、第２リンク部材６２がレーザシャッタ６４に当接する構成であってもよい。
【００４４】
以上説明したように、本実施形態では、少なくとも共通のリンク部材（第１リンク部材６１）を介して、開閉カバー６０とレーザシャッタ６４、及び、開閉カバー６０と定着シャッタ６５の開閉を連動させるリンク機構となっている。つまり、定着シャッタ６５は少なくとも共通の第１リンク部材６１を介して開閉部材からの動力を伝達され、第１リンク部材６１の移動によって定着シャッタ６５が移動する構成となっている。このため、レーザシャッタ６４、定着シャッタ６５をそれぞれ別々のリンク機構を用いて開閉カバー６０の開閉に連動させる構成と比べ、大型化を防ぐ、又は、コストを抑えることができる。
【００４５】
更に、本実施形態では、２つのシャッタが共通のリンク部材によって連結され開閉する構成であるが故に、定着シャッタ６５が直接開かれても、レーザシャッタ６４が開かないようにリンク機構を構成している。このため、より確実にレーザシャッタ６４の遮蔽状態を維持することができる。
【００４６】
＜第２実施形態＞
次に、本発明の第２実施形態について説明する。本実施形態では、画像形成装置１００の基本的構成は第１実施形態と同様であり、リンク機構のみが異なる。このため、第１実施形態と同様の部分に関しては同様の符号を付して説明を省略し、レーザシャッタ、定着シャッタの移動機構についてのみ説明する。
【００４７】
図４（ａ）、（ｂ）は画像形成装置１００の概略断面図であり、図４（ａ）は開閉カバー６０が閉じた状態、図４（ｂ）は開閉カバーが開いた状態を示す。第１実施形態では、第１リンク部材６１、第２リンク部材６２がリンク機構として設けられた構成だが、本実施形態では、１つのリンク部材７１によって、レーザシャッタ６４、定着シャッタ６５を開閉させる構成である。リンク部材７１は、スキャナステー６３に取り付けてあり、スキャナステー６３に対してスライド可能に取り付けられている。リンク部材７１は、開閉カバー６０を閉じた状態で開閉カバー６０のリブ６０ｂに当接する。リンク部材７１とスキャナステー６３の間には、第１実施形態のリンクバネ６６と同様のリンクバネ（不図示）が取り付けられ、リンク部材７１をＡ１方向へ付勢している。
【００４８】
開閉カバー６０を開いた状態から閉じると、図４（ａ）に示すように、開閉カバー６０の閉動作によってリンク部材７１は開閉カバー６０のリブ６０ｂに押されて、リンクバネ６６（図２参照）の付勢力に抗してＡ２方向に移動する。これにより、レーザシャッタ６４は、リンク部材７１の押圧部７１ａに押されて不図示のレーザシャッタバネの付勢力に抗してＣ２方向に回動し、レーザ光の光路Ｌを遮蔽しない位置に退避して開いた状態となる。また、リンク部材７１のＡ２方向への移動により、押圧部（当接部）７１ｂが被押圧部６５ｂを押圧する。これにより、定着シャッタ６５は、定着シャッタバネ６８（図２参照）の付勢力に抗してＢ２方向へ回動し、定着シャッタ６５が開き、搬送ガイド６９と定着シャッタ６５とで形成される開口の幅はＰ１まで広がる。
【００４９】
開閉カバー６０を閉じた状態から開いていくと、図４（ｂ）に示すように、リブ６０ｂがリンク部材７１から退避し離間する。このため、リンク部材７１はリンクバネ６６（図２参照）の付勢力によりＡ１方向へ移動し、突当部６３ａに突き当たり位置が決まる。
【００５０】
リンク部材７１のＡ１方向への移動によって押圧部７１ａがレーザシャッタ６４から退避する。このため、レーザシャッタ６４は、不図示のレーザシャッタバネの付勢力によりＣ１方向に回動し、光路Ｌを物理的に遮蔽する遮蔽位置に移動し、閉じた状態となる。
【００５１】
また、リンク部材７１のＡ１方向への移動により、押圧部７１ｂが被押圧部６５ｂから退避していくため、定着シャッタ６５は定着シャッタバネ６８（図２参照）の付勢力により、被押圧部６５ｂが押圧部７１ｂに当接しながらＢ１方向へ回転する。そして退避しきった状態の押圧部７１ｂに被押圧部６５ｂが突き当たり、定着シャッタ６５は閉じた状態で位置が決まる。このとき、搬送ガイド６９と定着シャッタ６５とで形成される開口の幅はＰ２となる。
【００５２】
また、開閉カバー６０を開いた状態では、リンク部材７１は、リンクバネ６６（図２参照）の付勢力によりＡ１方向へ付勢された状態となっている。このため、定着シャッタ６５をＢ２方向に回動させても、被押圧部６５ｂはリンク部材７１の押圧部７１ｂから離間するので、リンク部材７１は移動せず、位置は変化しない。従って、より確実にレーザシャッタ６４が閉じた状態を維持することができる。
【００５３】
以上説明したように、本実施形態では、第１実施形態と同様に、共通のリンク部材（リンク部材７１）によって、開閉カバー６０とレーザシャッタ６４、及び、開閉カバー６０と定着シャッタ６５の開閉を連動させている。このため、レーザシャッタ６４、定着シャッタ６５をそれぞれ別々のリンク機構を用いて開閉カバー６０の開閉に連動させる構成と比べ、大型化を防ぐ、又は、コストを抑えることができる。
【００５４】
また、一つのリンク部材７１によって、レーザシャッタ６４、定着シャッタ６５を開閉する構成であるので、第１実施形態と比べて、コストを抑え、組み立て性を良好にすることができる。
【００５５】
更に、本実施形態では、第１実施形態と同様に、２つのシャッタが共通のリンク部材によって連結され開閉する構成であるが故に、定着シャッタ６５が直接開かれても、レーザシャッタ６４が開かないようにリンク機構を構成している。このため、より確実にレーザシャッタ６４の遮蔽状態を維持することができる。
【００５６】
＜第３実施形態＞
次に、本発明の第３実施形態について説明する。本実施形態では、画像形成装置１００の基本的構成、及び、定着シャッタ６５を開閉させるリンク機構の構成は第２実施形態と同様であり、レーザシャッタの構成のみが異なる。このため、第２実施形態と同様の部分に関しては同様の符号を付して説明を省略し、レーザシャッタの構成についてのみ説明する。
【００５７】
図５（ａ）、（ｂ）は画像形成装置１００の概略断面図であり、図５（ａ）は開閉カバー６０が閉じた状態、図５（ｂ）は開閉カバーが開いた状態を示す。第２実施形態では、レーザシャッタ６４とリンク部材７１とが別部材だったが、本実施形態では、レーザシャッタがリンク部材８１に一体的に形成されている。リンク部材８１は、開閉カバー６０を閉じた状態で開閉カバー６０のリブ６０ｂに当接する。リンク部材８１とスキャナステー６３の間には、第１実施形態のリンクバネ６６と同様のリンクバネ（不図示）が取り付けられ、リンク部材８１をＡ１方向へ付勢している。
【００５８】
リンク部材８１はレーザ光の光路Ｌに対して移動可能であり、レーザ光を物理的に遮りレーザシャッタとして機能する遮蔽部８１ａを備える。図５（ｂ）に示すように、開閉カバー６０を開いてリンク部材８１がＡ１方向へ移動して突当部６３ａに突き当たって位置が決まった状態において、遮蔽部８１ａは光路Ｌを遮る閉じた位置にある。また、図５（ａ）に示すように、開閉カバーを閉じた状態では、リブ６０ｂに押されたリンク部材８１のＡ２方向への移動により、遮蔽部８１ａは光路Ｌから退避した開いた位置にある。
【００５９】
また、開閉カバー６０を開いた状態では、リンク部材８１は、リンクバネ６６（図２参照）の付勢力によりＡ１方向へ付勢された状態となっている。このため、定着シャッタ６５をＢ２方向に回動させても、被押圧部６５ｂはリンク部材８１の押圧部８１ｂから離間するので、リンク部材８１は移動せず、位置は変化しない。従って、遮蔽部８１ａは閉じたままとなる。従って、より確実にレーザシャッタ６４が閉じた状態を維持することができる。
【００６０】
このように、リンク部材８１にレーザシャッタ機能を持たせても、第２実施形態と同様の効果を得ることができる。なお、第１実施形態の第１リンク部材にレーザシャッタ機構を持たせてもよく、この場合、第１実施形態と同様の効果を得ることができる。
【００６１】
即ち、本実施形態では、第２実施形態と同様に、共通のリンク部材（リンク部材８１）によって、開閉カバー６０と遮蔽部８１ａ、及び、開閉カバー６０と定着シャッタ６５の開閉を連動させている。このため、遮蔽部８１ａ、定着シャッタ６５をそれぞれ別々のリンク機構を用いて開閉カバー６０の開閉に連動させる構成と比べ、大型化を防ぐ、又は、コストを抑えることができる。
【００６２】
また、一つのリンク部材８１によって、遮蔽部８１ａ、定着シャッタ６５を開閉する構成であるので、第１実施形態と比べて、コストを抑え、組み立て性を良好にすることができる。
【００６３】
更に、本実施形態では、第２実施形態と同様に、２つのシャッタが共通のリンク部材によって連結され開閉する構成であるが故に、定着シャッタ６５が直接開かれても、遮蔽部８１ａが開かないようにリンク機構を構成している。このため、より確実に遮蔽部８１ａの遮蔽状態を維持することができる。
【符号の説明】
【００６４】
３５  定着器
４２  レーザスキャナユニット
６０  開閉カバー
６１  第１リンク部材
６２  第２リンク部材
６４  レーザシャッタ
６５  定着シャッタ
７１，８１  リンク部材
８１ａ  遮蔽部
１００  画像形成装置
１００Ａ  装置本体
Ｌ  光路
【図１】
0005921310.tif 000002
【図２】
0005921310.tif 000003
【図３】
0005921310.tif 000004
【図４】
0005921310.tif 000005
【図５】
0005921310.tif 000006